(57)【要約】  剃刀（１）は把柄（２）を備え、把柄（２）は軸（Ｘ）と、少なくとも第１及び第２の髭剃りヘッド（５、６）とを有し、これら髭剃りヘッドは共通の胴部（３）に取り付けられ、胴部（３）は、第１の構成と第２の構成との間で、刃先に実質的に垂直な軸（Ｙ）の周りに枢動自在に把柄（２）に取り付けられ、第１の構成においては、前記第１の髭剃りヘッド（５）は把柄（２）の前端部（４）において突出して髭剃りを可能とし、第２の髭剃りヘッド（６）は少なくとも部分的に把柄（２）によって覆われており、第２の構成においては、ヘッド（５、６）の位置が逆になっている。
2008506479.tif 000002
【特許請求の範囲】
【請求項１】
軸（Ｘ）を有する把柄（２）と、
共通の胴部（３）に取り付けられた少なくとも第１及び第２の髭剃りヘッド（５、６）と、を備え、
これら髭剃りヘッド（５、６）は、第１の構成と第２の構成との間で、刃先に実質的に垂直な軸（Ｙ）の周りに枢動自在に前記把柄（２）に装着され、
前記第１の構成において、前記第１の髭剃りヘッド（５）は把柄（２）の前端部（４）で突出して髭剃りを可能とし、前記第２の髭剃りヘッド（６）は把柄（２）によって少なくとも部分的に覆われており、
前記第２の構成において、前記ヘッド（５、６）の位置が逆である、剃刀（１）。
【請求項２】
前記髭剃りヘッド（５、６）は、平行かつ前記胴部（３）に対して互いから直径方向反対側に配置され、前記髭剃りヘッド（５、６）は互いから離れる方に向いていることを特徴とする請求項１に記載の剃刀（１）。
【請求項３】
前記髭剃りヘッド（５、６）は、異なる大きさであることを特徴とする請求項１又は２に記載の剃刀（１）。
【請求項４】
前記第１の髭剃りヘッド（５）は標準的な幅（Ｗ５）であり、前記第２の髭剃りヘッド（６）は、前記標準的な幅（Ｗ５）より狭い幅（Ｗ６）を有することを特徴とする請求項３に記載の剃刀（１）。
【請求項５】
それぞれの前記髭剃りヘッド（５、６）は、着脱可能なカートリッジ中に納められていることを特徴とする請求項１〜４のいずれか一項に記載の剃刀（１）。
【請求項６】
前記胴部（３）を回転するための駆動機構（１０）を備えることを特徴とする請求項１〜５のいずれか一項に記載の剃刀（１）。
【請求項７】
前記駆動機構（１０）は、前記胴部（３）に取り付けられたギヤ（１４）と、該ギヤ（１４）に係合するとともに、把柄（２）に滑動自在に取り付けられた、手動で操作可能な駆動装置（１１）に取り付けられたラック（１６）とを備えることを特徴とする請求項６に記載の剃刀（１）。
【発明の詳細な説明】
【技術分野】
【０００１】
本発明は、安全剃刀に関し、より具体的には、使用者による可動機構の駆動時に髭剃りのために択一的に露出することができる数個の髭剃りヘッドを備える剃刀に関する。
【背景技術】
【０００２】
特許文献１は、両面刃ユニットを有し、刃ユニットの使用寿命を延長する剃刀を開示している。
【０００３】
刃ユニットはハウジングの中に係合しており、刃ユニットの両端に位置する回転つまみを有して設けられている。刃ユニットの一方の側の刃先の切れ味が悪くなると、使用者はつまみを回転し、切れ味の悪くなった刃先がハウジングの後部へ回転し、まだ切れ味の良い、未使用の刃先がハウジングの前部に露出して使用可能になるように回転される。
【０００４】
このような剃刀の１つの欠点は、使用者がつまみを回転したいときに、石鹸のついた手がつまみの上で滑り、よって一回の動作で刃を回転することができない場合があるということである。
【０００５】
このような剃刀の別の欠点は、つまみが小さく、刃のそばに位置しているので、間違った動作をすると指を切ってしまい、使用者にとって非常に危険であるということである。
【特許文献１】国際公開第９７／２７０３０号パンフレット
【特許文献２】米国特許第４４９２０２４号明細書
【発明の開示】
【発明が解決しようとする課題】
【０００６】
本発明の目的は、使用者による動作機構の駆動時に髭剃りのために択一的に露出することのできる数個の刃を有する剃刀を提供することである。
【０００７】
また、本発明の目的は、そのような剃刀の安全な使用及び駆動を提供することである。さらなる本発明の目的は、そのような剃刀の簡単で迅速な駆動を提供することである。
【課題を解決するための手段】
【０００８】
本発明による剃刀は、軸と少なくとも第１及び第２の髭剃りヘッドとを有する把柄を備え、これら髭剃りヘッドは共通の胴部に取り付けられ、胴部は、第１の構成と第２の構成との間で、刃先に実質的に垂直な軸の周りに枢動自在に把柄に取り付けられ、第１の構成においては、第１のヘッドは把柄の前端部において突出して髭剃りを可能とし、第２のヘッドは少なくとも部分的に把柄によって覆われており、第２の構成においては、ヘッドの位置が逆になっている。
【０００９】
胴部の単純な回転によって、使用者は第１若しくは第２の髭剃りヘッドのどちらかを選択することができる。
【００１０】
髭剃りヘッドは、好ましくは互いに平行であるとともに胴部に対して互いに半径方向の向かい側に位置し、互いから離れる方向を向き、よって、髭剃りヘッドの交換可能性を胴部の１８０度の回転によって達成することができる。
【００１１】
一の好ましい実施形態においては、髭剃りヘッドは異なる大きさを有し、第１の髭剃りヘッドは標準的な幅であるのに対し、第２の髭剃りヘッドは標準的な幅より狭い幅を有している。
【００１２】
それぞれの髭剃りヘッドは、着脱可能なカートリッジに納めることができ、刃が切れなくなるとすぐに交換される。
【００１３】
駆動機構は胴部を回転するように設けることができる。この駆動機構は、例えば、胴部に取り付けられたギヤと、このギヤに係合するとともに、把柄に滑動自在に装着された手動で操作可能な駆動部材に取り付けられたラックとを備えている。
【発明を実施するための最良の形態】
【００１４】
本発明の上述した目的、及び別の目的と、利点とは、添付の図面との関係を考慮しつつ、本発明の好ましい実施形態の詳細な説明から明白となるであろう。
【００１５】
本発明による剃刀が、図面に符号１によって普遍的に示されている。剃刀１は、長手方向の軸Ｘを有する，細長形状の把柄２を備えている。
【００１６】
剃刀１は、把柄２の前端部４に取り付けられた胴部３を備えている。胴部３は、把柄２に対して、把柄の軸Ｘに略垂直な軸Ｙの回りに回転可能である。
【００１７】
それぞれ一以上の刃５ａ、６ａを有する、少なくとも第１の刃ユニット又はヘッド５、及び第２の刃ユニット又はヘッド６は、胴部３に取り付けられ、刃５ａ、６ａは胴部の軸Ｙに略垂直とされている。
【００１８】
ヘッド５、６は平行であるとともに、胴部３に対して互いに半径方向反対側に配置され、互いに対して離れる方向に向いている。
【００１９】
剃刀１は、全体が使い捨てであっても良く、又は（図示された好ましい実施形態に示すような）再使用可能な把柄２を有していても良い。
【００２０】
使い捨てである場合には、ヘッド５、６は胴部３に永久的に取り付けられており、刃先が切れなくなるとすぐに、剃刀１全体が廃棄される。
【００２１】
再使用可能な把柄２を有する場合（図１〜３に示されている）には、それぞれのヘッド５、６は、取替え可能なカートリッジを備え、このカートリッジは動作可能なラッチ手段７によって胴部３に着脱自在に取り付けられ、刃先が切れなくなった後に、カートリッジだけが廃棄され新しいカートリッジに取り替えられる。
【００２２】
ラッチ手段７は、例えば２対の側面押しボタン８、９を備え、これら押しボタンは、使用者の指による側圧がかかると、対応するヘッド５、６を解除し、新しいヘッドの取り付けを可能としている。当業者は既存の解除機構（例えば、特許文献２を参照）に思い当たるであろう。
【００２３】
（図示されていない）代替的な実施形態においては、胴部３全体が、把柄２に着脱可能に取り付けられた取替え可能なカートリッジ全体の中にあっても良く、その場合、刃先が切れなくなった後、胴部３は完全に廃棄され、新しいものに取り替えられる。
【００２４】
ヘッド５、６は、好ましくは異なる大きさを有し、第１のヘッド５は標準的な幅Ｗ５を有する一方、第２のヘッド６はＷ５より狭いＷ６を有している。
【００２５】
標準的なヘッド５は通常の髭剃り（頬の髭）に使用され、狭いヘッド６は簡単な操作性のために寸法取られ、例えば口ひげのような特定の髭領域の精密なトリミングを容易としている。
【００２６】
胴部３は、
−  標準的なヘッド５が把柄２の前端部４で突出するとともに外側に向き、狭いヘッド６が把柄２に対して内側に向いている、第１の構成（図１、４、６）と、
−  第１の構成から１８０度の位置にあり、ヘッド５、６の位置が逆である第２の構成（図２、５、８）と、
の間で回転することができる。
【００２７】
第１の構成においては、標準的なヘッド５は髭剃りを可能とするようにすぐ使える状態にあり、狭いヘッド６は、把柄２によって少なくとも部分的に覆われ、動作不能である（図１）。
【００２８】
第２の構成においては、状態は逆であり、狭いヘッド６は剃刀を可能とするようにすぐ使える状態にあり、標準的なヘッド５は、把柄２によって少なくとも部分的に覆われ、動作不能である（図３）。
【００２９】
さらに、剃刀１は胴部３を動かすための駆動機構１０を備え、この駆動機構１０は、把柄２に取り付けられた、手動で操作可能な駆動装置１１を備えている。
【００３０】
図４及び図５に示すように、胴部３は、軸１２を介して把柄２の前端部４に枢動可能に取り付けられ、軸は胴部３に取り付けられるとともに、把柄２に形成された対応する穴部１３に挿入されている。
【００３１】
軸１２の胴部３とは反対側の一方の端部は、ラック１６の前端部１５に係合するギヤ１４を形成し、ラック１６の後端部１７には駆動装置１１が取り付けられている。
【００３２】
ラック１６は、把柄２の前端部４に開けられた穴部１３に隣接して形成された細長の溝１８の中に、
−  胴部３の第１の構成（図１、４）に対応する、第１の端点（図６）と、
−  胴部３の第２の構成（図３、５）に対応する、第２の端点（図８）と、
の間で滑動自在に取り付けられている。
【００３３】
標準的なヘッド５が、髭剃りができる状態になっている第１の端点／第１の構成（図１及び６）から出発して、駆動装置１１上の親指の単純な後ろへの動作が、ラック１６を（図２及び７の矢印Ａで示す）第２の端点に向かってスライドさせ、胴部３が（図２及び７の矢印Ｂで示す）第２の構成へ１８０度回転し、よって、狭いヘッド６が、髭剃りができる状態で出現する。
【００３４】
逆向きの動作はラック１６を第１の端点へ戻し、胴部３は第１の構成へ回転して戻される。
【００３５】
したがって、使用者は、最も便利である標準的なヘッド５又は狭いヘッド６を選択的に使用することができる。一方のヘッドの使用の間に、他方のヘッドが少なくとも部分的に把柄２の前端部４の下に隠されている限り、使用者が指を切る、または刃を損壊する危険はほとんど無い。よって、通常の安全剃刀より特に注意を払う必要は無い。
【００３６】
親指の短い動作によって行われる、どちらのヘッドを使用するかの選択は、簡単かつ迅速である。剃刀１の寸法は通常の安全剃刀と全く同様であるので、剃刀の握りは標準的な方法で行われる。
【図面の簡単な説明】
【００３７】
【図１】共通の胴部に取り付けられた、異なる大きさの２つの髭剃りヘッドを有する剃刀の、第１の構成を示す斜視図である。
【図２】第１の構成から第２の構成へ胴部を回転している間の、図１に示した剃刀の斜視図である。
【図３】図１及び図２に示した剃刀の第２の構成を示す斜視図である。
【図４】第１の構成の剃刀を部分的に示す、図１の剃刀のＩＶ−ＩＶ面組立側面断面図である。
【図５】図４と同様の、第２の構成の剃刀を部分的に示す組立側面断面図である。
【図６】第１の構成から見た駆動機構を示す部分平面図である。
【図７】胴部の回転中の駆動機構を示す部分平面図である。
【図８】第２の構成から見た駆動機構を示す部分平面図である。
【符号の説明】
【００３８】
１・・・剃刀
２・・・把柄
３・・・胴部
５、６・・・ヘッド（髭剃りヘッド）
７・・・ラッチ手段
８、９・・・押ボタン
１０・・・駆動機構
１１・・・駆動装置
１２・・・軸
１３・・・穴部
１４・・・ギヤ
１６・・・ラック
１８・・・溝部
Ｘ、Ｙ・・・軸
【図１】
2008506479.tif 000003
【図２】
2008506479.tif 000004
【図３】
2008506479.tif 000005
【図４】
2008506479.tif 000006
【図５】
2008506479.tif 000007
【図６】
2008506479.tif 000008
【図７】
2008506479.tif 000009
【図８】
2008506479.tif 000010
【国際調査報告】
2008506479.tif 000011
2008506479.tif 000012
2008506479.tif 000013